(57)【特許請求の範囲】
【請求項１】
スラブ等の床面上に敷設した床材の側端面と壁面との対向面により形成された隙間を覆い、前記床材上面より上側の壁面、に取り付けられる垂直方向の幅木本体に、床材の端部上面を被覆する水平方向の見切材部を設け、前記幅木本体と見切材部が互いに接続可能な２パーツにより構成され、前記見切材部と前記床材が接触していないことを特徴とする建築内装用幅木。
【発明の詳細な説明】
【０００１】
【発明の属する技術分野】
本発明は、建築用の室内内装仕上げ用、装飾用に使用される建築内装用幅木の改良に関する。
【０００２】
【従来の技術】
一般に室内の建築仕上げのための内装施工や装飾施工においては、図２（ａ）に示すように、スラブ等の建築構造部としての水平な床面１上に、仕上げ用や装飾用のブロック状の床材１１を水平に組み付けて敷設し、その室内の壁面Ｗに近接する床材１１の側端部１２と壁面Ｗとの対向面により形成される隙間１３を覆い、前記床材の上面よりも上方の位置に壁面Ｗ部分に沿って、内装材として所定の厚みを有する幅木２１が、釘打ち、螺子止め、接着剤等にて取り付けられる。
【０００３】
【発明が解決しようとする課題】
例えば、図２（ａ）に示すように、床材１１の側端部１２と壁面Ｗと対向面により形成される隙間１３を密接させて敷設した場合には、水平に敷設した床材１１は、温度や湿度や経時変化によって伸びが生じて、水平に敷設したはずの床材１１面がブリッジ状に盛り上がったりして施工に支障を来す場合があり、かなりの施工精度と熟練とを必要としている。
【０００４】
また、床材１１が、温度や湿度や経時変化によって収縮した場合には、図２（ｂ）に示すように、床材１１の側端部１２と壁面Ｗとの対向面により形成される幅ｄの隙間１３が発生し、また、さらに収縮した場合には、幅木２１の下端部と床材端部１２の端縁部との間に隙間ｓが発生して、内装材自体の機能性を損なったり、外観的な内装状態の見栄えを損なう場合がある。
【０００５】
本発明は、上記床材の施工と、それに伴う幅木の施工において、床材の伸縮を配慮した高度な施工精度と熟練を必要とせずに、内装材自体の機能性を損なうことなく、外観的な内装状態の見栄えの良好な床材の敷設と幅木の装着施工を容易に行うことができる内装施工用幅木を提供することにある。
【０００６】
【課題を解決するための手段】
本発明の請求項１に係る発明は、スラブ等の床面上に敷設した床材の側端面と壁面との対向面により形成された隙間を覆い、前記床材上面より上側の壁面、に取り付けられる垂直方向の幅木本体に、床材の端部上面を被覆する水平方向の見切材部を設け、前記幅木本体と見切材部が互いに接続可能な２パーツにより構成され、前記見切材部と前記床材が接触していないことを特徴とする建築内装用幅木である。
【０００７】
【０００８】
【０００９】
【作用】
本発明の建築内装用幅木は、床材の端部１２と壁面Ｗとの対向面により形成された隙間１３に、床材１１の伸縮率に対応して、０＜ｄ＜Ｃに設定した僅かな隙間１３を設けて敷設しても、幅木本体２２部分には、その隙間１３と床材端部１２に掛けて水平方向に見切材部２３を設けているため、水平に敷設した床材１１が伸長しても、盛り上がりや歪みが発生せず、また収縮しても、その隙間１３と床材端部１２との間には、従来のような隙間ｓが発生しない。
【００１０】
【発明の実施の形態】
本発明の建築内装用幅木を、実施の形態に従って以下に詳細に説明すれば、図１（ａ）は、本発明の建築内装用幅木の一例を説明する側面図であり、１はスラブ等の建築構造床面、１１は床材（敷設材）であって、例えばブロック状の組み付け可能な床材、フローリング材等の敷設可能な建材、建装材、Ｗは壁面、１２は壁面Ｗに近接する床材１１の側端部、１３は壁面Ｗと敷設材端部１２との対向面により形成される隙間である。
【００１１】
本発明の建築内装用幅木２１は、壁面Ｗに沿って垂直方向の幅木本体２２と、水平方向の見切材部２３とにより構成され、該幅木本体２２と見切材部２３とは互いに接続部２４にて、凹凸嵌合など嵌め込み方式や係合方式あるいは接着剤、釘打ち、ビス止め、螺子止めなどにて接続されて２パーツにて形成されている。
【００１２】
本発明の建築内装用幅木２１の製造材料としては、例えば、木材、集成材等木質材、プラスチック材、アルミニウム等の金属材（ムク材、成形材）、タイル材など、適宜材料が使用でき、その建築内装用幅木２１には適宜に木目、各種地模様、装飾模様、彩色などを施すことは可能である。
【００１３】
上記建築内装用幅木２１は、スラブ等の床面１上に敷設した床材１１の端部１２の側端面と、壁面との対向面とより形成された隙間を覆い、前記床材の上面より上側の壁面Ｗに、所定の幅（高さ）で横方向に、幅木本体２２部分が、釘打ち、ビス止め、螺子止め、接着剤等にて取り付けられ、該幅木本体２２の下部には、水平方向に設けた見切材部２３が、壁面Ｗと敷設材端部１２との対向面により形成された隙間１３真上から床材１１の端部１２上面までを被覆するように設けられている。なお、取り付ける際には、最初に見切材部２３（水平部２３ａと垂直部２３ｂからなるＬ字状型）の垂直部２３ｂを、壁面Ｗに取り付けた後に、幅木本体２２部分を、その接続部２４の切欠部２４ａと、Ｌ字型の見切材部２３の垂直部２３ａとを重ね合わせ嵌合して取り付けるようにしてもよい。
【００１４】
なお、見切材部２３下面と床材端部１２上面とは、互いに密接していてもよいし、必要に応じて（例えば通気性等を考慮して）、その間は僅かに隙間があってもよく、また、その間に別途スペーサー等を介在させてもよい。また、見切材部２３と床材１１との重ね合わせ面は、釘打ち、ビス止め、螺子止め、接着剤等にて、互いに接合していてもよい。
【００１５】
前記見切材部２３の壁面Ｗからの延設長さＣは、適宜に設定できるが、壁面Ｗと敷設材端部１２との対向面により形成される隙間１３真上から、少なくとも床材１１の端部１２上面に掛かるまで被覆可能な長さであり、施工に使用する床材１１の性能に関わる温度、湿度等の条件による既知の伸縮率に対応して適宜に設定される。
【００１６】
上記本発明の建築内装用幅木を用いて施工した場合には、床材１１を敷設した後の床材端部１２と壁面Ｗとの対向面により形成される隙間１３の幅ｄを、０≦ｄ＜Ｃ、又は０＜ｄ＜Ｃに設定して、十分なクリアランスを以て、しかも床材１１の既知の伸縮率を配慮して、見栄えよく容易に敷設することができる。
【００１７】
図１（ｂ）は、本発明の建築内装用幅木２１のほかの例を説明する側面図であり、この場合の幅木２１は、幅木本体２２と見切材部２３は、一体に形成されていて１パーツとなっている。
【００１８】
【発明の効果】
本発明の建築内装用幅木は、床材の施工と、それに伴う幅木の施工において、床材の伸縮を配慮した高度な施工精度と熟練を必要とせず、内装材自体の機能性を損なうことなく、外観的な内装状態の見栄えの良好な床材の敷設と、幅木の装着施工とを、容易に行うことができる内装施工用材を提供することができ、床材の伸縮により、幅木等の内装材自体の機能性を損なったり、外観的な内装状態の見栄えを損なったりすることなく、外観的な内装状態の見栄えの良好な床材の敷設施工と、幅木の装着施工を容易に行うことができる効果がある。
【図面の簡単な説明】
【図１】  本発明の建築内装用幅木の一例を説明する側面図。
【図２】  従来の建築内装用幅木を説明する側面図。
【符号の説明】
１…スラブ（床面）  Ｗ…壁面    １１…床材  １２…床材端部
１３…隙間    ２１…建築内装用幅木  ２２…幅木本体  ２３…見切材部  ２４…接続部
Ｃ…見切材部長さ  ｓ…床材端縁部と幅木下端との隙間
【図１】
0004078867.tif 000002
【図２】
0004078867.tif 000003